(57)【要約】【課題】着用感が良好で、漏れ抑制性能にも優れたパンツ型使い捨ておむつを提供すること。【解決手段】吸収性コア２４は、前身頃１Ｆに存するコア前側部２４Ｆと、後身頃１Ｒに存するコア後側部２４Ｒとを有している。コア後側部２４Ｒは、コア前側部２４Ｆに比して縦方向Ｘの長さが短く、且つコア後側部２４Ｒの縦方向端２４Ｒｘは、後身頃１Ｒにおけるサイドシール部Ｓの縦方向内方端Ｓｃよりも縦方向Ｘの内方に位置している。後身頃１Ｒにおける外装体３にレッグギャザー形成用の後側レッグ弾性部材３５が、外装体３を横方向Ｙに横断するように伸長状態で複数配され、その複数の弾性部材３５の少なくとも一部は、平面視において中央部分３５Ｃで吸収性コア２４と重ならずにコア後側部２４Ｒよりも縦方向Ｘの外方に配されている。中央部分３５Ｃは、後側レッグ弾性部材３５における、横方向に関し吸収性コア２４と重なる領域に位置する部分である。【選択図】図２
2017093931.tif 000002
【特許請求の範囲】
【請求項１】
着用者の前後方向に対応する縦方向とこれに直交する横方向とを有し、吸収性材料を含む吸収性コアを具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型使い捨ておむつであって、
前記吸収性コアは、前記外装体の横方向中央部に位置し、且つ前記外装体を縦方向に二分して横方向に延びる縦中心線を基準として、前身頃における該外装体の縦方向端に向かって縦方向に延びるコア前側部と、後身頃における該外装体の縦方向端に向かって縦方向に延びるコア後側部とを有し、
前記コア後側部は、前記コア前側部に比して縦方向長さが短く、且つ該コア後側部の縦方向端は、後身頃における前記サイドシール部の縦方向内方端よりも縦方向内方に位置し、
後身頃における前記外装体に、前記レッグ開口部の開口縁部にレッグギャザーを形成する後側レッグ弾性部材が、該外装体を横方向に横断するように伸長状態で複数配されており、それら複数の後側レッグ弾性部材は、それぞれ、前記サイドシール部を形成する該外装体の縦方向に沿う両側縁部それぞれから該レッグ開口部の開口縁部に沿って延びさらに前記コア後側部に向かって延びる部分を有し、且つ横方向に関し前記吸収性コアと重なる領域に位置する中央部分と、該領域の横方向両外方に位置する一対のサイド部分との３つに区分され、
複数の前記後側レッグ弾性部材の少なくとも一部は、平面視において前記中央部分で前記吸収性コアと重ならずに前記コア後側部よりも縦方向外方に配されているパンツ型使い捨ておむつ。
【請求項２】
複数の前記後側レッグ弾性部材の一部は、平面視において前記中央部分で前記コア後側部と重なる請求項１に記載のパンツ型使い捨ておむつ。
【請求項３】
平面視において前記中央部分で前記コア後側部と重なる前記後側レッグ弾性部材は、該中央部分の全体が横方向のみに応力を発現し得るように配されている請求項２に記載のパンツ型使い捨ておむつ。
【請求項４】
前記後側レッグ弾性部材は、後身頃における前記サイドシール部を形成する前記外装体の縦方向に沿う両側縁部それぞれの縦方向内方端を通って横方向に延びる仮想直線を基準として、該仮想直線よりも縦方向内方に位置する部分を有している請求項１〜３の何れか一項に記載のパンツ型使い捨ておむつ。
【請求項５】
前記コア後側部の縦方向端部の横方向中央部に、前記吸収性コアを形成するコア形成材料の坪量が該吸収性コアの他の部位より小さい切り欠き部が形成されている請求項１〜４の何れか一項に記載のパンツ型使い捨ておむつ。
【発明の詳細な説明】
【技術分野】
【０００１】
本発明は、パンツ型使い捨ておむつに関する。
【背景技術】
【０００２】
パンツ型使い捨ておむつの典型的な構成は、吸収体を具備する吸収性本体と、該吸収性本体の非肌対向面側に配されて該吸収性本体を固定している外装体とを備え、前身頃及び後見頃それぞれにおける外装体の左右両側縁どうしが接合されて一対のサイドシール部、ウエスト開口部及び一対のレッグ開口部が形成されているというものである。特許文献１には、斯かる構成のパンツ型使い捨ておむつにおいて、通気性及び着用感の向上を目的として、おむつにおける着用者の股下に配される股下領域に吸収体を配置し、且つ該吸収体の前側端部及び後側端部の少なくとも一方を該股下領域に配置することが記載されている。これと同様の構成を有するパンツ型使い捨ておむつは特許文献２にも記載されている。尚、特許文献１及び２記載のおむつにおいては、レッグ開口部の開口縁部にレッグギャザーを形成するためのレッグ弾性部材が配されているものの、レッグ弾性部材は、その全体がレッグ開口部の開口縁部に配されており、外装体を着用者の前後方向（縦方向）と直交する方向（横方向）に横断していない。
【０００３】
また特許文献３には、前身頃及び後身頃のそれぞれにおいて、一対のサイドシール部のうちの一方から股下側に延び、股下側を迂回して前身頃と後身頃との他方に到達すると共に、互いに交差することなく間隔をおいて配置された複数の湾曲弾性部材群を備えたパンツ型使い捨ておむつが記載されている。特許文献３記載のおむつにおいて、吸収体は腹側部から股下部を介して背側部にわたって縦方向に延在しており、複数の湾曲弾性部材群は全て、股下部において吸収体と重なっている。特許文献３によれば、湾曲弾性部材群によっておむつのずり落ちが防止されると共に、外装体を着用者の身体に密着保持させることができるとされている。
【先行技術文献】
【特許文献】
【０００４】
【特許文献１】特開２０１３−２２３６８８号公報
【特許文献２】特表２００６−５１９６６７号公報
【特許文献３】特開２００６−４３４１５号公報
【発明の概要】
【発明が解決しようとする課題】
【０００５】
特許文献１〜３に記載のパンツ型使い捨ておむつは、着用感及び漏れ防止性の点で一定の効果を奏するものの、改善の余地がある。特に、着用感及び漏れ防止性の両特性を高レベルで両立させることは容易なことではない。例えば、典型的な吸収体は、パルプ等の積繊物から構成されることもあって他のおむつ構成部材に比して剛性が高く硬いために、着用感の点ではマイナス要素となりやすいが、着用感の向上を目的として吸収体のサイズを小さくすると漏れの発生が懸念されることになる。パンツ型使い捨ておむつにおいて着用感と漏れ防止性とを高レベルで両立させ得る技術は未だ提供されていない。
【０００６】
従って本発明は、前述した従来技術が有する欠点を解消し得るパンツ型使い捨ておむつを提供することにある。
【課題を解決するための手段】
【０００７】
本発明は、着用者の前後方向に対応する縦方向とこれに直交する横方向とを有し、吸収性材料を含む吸収性コアを具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型使い捨ておむつであって、前記吸収性コアは、前記外装体の横方向中央部に位置し、且つ前記外装体を縦方向に二分して横方向に延びる縦中心線を基準として、前身頃における該外装体の縦方向端に向かって縦方向に延びるコア前側部と、後身頃における該外装体の縦方向端に向かって縦方向に延びるコア後側部とを有し、前記コア後側部は、前記コア前側部に比して縦方向長さが短く、且つ該コア後側部の縦方向端は、後身頃における前記サイドシール部の縦方向内方端よりも縦方向内方に位置し、後身頃における前記外装体に、前記レッグ開口部の開口縁部にレッグギャザーを形成する後側レッグ弾性部材が、該外装体を横方向に横断するように伸長状態で複数配されており、それら複数の後側レッグ弾性部材は、それぞれ、前記サイドシール部を形成する該外装体の縦方向に沿う両側縁部それぞれから該レッグ開口部の開口縁部に沿って延びさらに前記コア後側部に向かって延びる部分を有し、且つ横方向に関し前記吸収性コアと重なる領域に位置する中央部分と、該領域の横方向両外方に位置する一対のサイド部分との３つに区分され、複数の前記後側レッグ弾性部材の少なくとも一部は、平面視において前記中央部分で前記吸収性コアと重ならずに前記コア後側部よりも縦方向外方に配されているパンツ型使い捨ておむつである。
【発明の効果】
【０００８】
本発明によれば、着用感が良好で、漏れ抑制性能にも優れたパンツ型使い捨ておむつが提供される。
【図面の簡単な説明】
【０００９】
【図１】図１は、本発明のパンツ型使い捨ておむつの一実施形態を模式的に示す斜視図である。
【図２】図２は、図１に示すおむつの展開且つ伸長状態における肌対向面側（内面側）を模式的に示す展開平面図である。
【図３】図３は、図２のＩ−Ｉ線（縦中心線）での断面を模式的に示す横断面図である。
【図４】図４は、図１に示すおむつを分解して模式的に示す分解斜視図である。
【図５】図５は、本発明のパンツ型使い捨ておむつの他の実施形態の展開且つ伸長状態における肌対向面側（内面側）の概略構成図である。
【図６】図６は、本発明のパンツ型使い捨ておむつのさらに他の実施形態の展開且つ伸長状態における肌対向面側（内面側）の概略構成図である。
【図７】図７は、本発明のパンツ型使い捨ておむつのさらに他の実施形態の展開且つ伸長状態における肌対向面側（内面側）の概略構成図である。
【図８】図８は、本発明のパンツ型使い捨ておむつのさらに他の実施形態の展開且つ伸長状態における肌対向面側（内面側）の概略構成図である。
【発明を実施するための形態】
【００１０】
以下本発明を、その好ましい実施形態に基づき図面を参照しながら説明する。図１〜図４には、本発明の吸収性物品の一実施形態であるパンツ型使い捨ておむつ１が示されている。おむつ１は、着用者の前後方向に対応する縦方向Ｘとこれに直交する横方向Ｙとを有し、吸収性本体２と、該吸収性本体２の非肌対向面側に配されて該吸収性本体２を固定している外装体３とを備え、前身頃１Ｆ及び後身頃１Ｒそれぞれにおける外装体３の縦方向Ｘに沿う両側縁部ＦＳ，ＲＳどうしが接合されて、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１１】
図２に示すように、前身頃１Ｆは、おむつ１又は外装体３を縦方向Ｘに二分して横方向Ｙに延びる縦中心線ＣＬｘを基準として、着用時に着用者の身体の前側（腹側）を覆う部分であり、後身頃１Ｒは、着用者の身体の後側（背側）を覆う部分である。また本明細書において、「肌対向面」は、吸収性物品又はその構成部材（例えば吸収性本体）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。尚、ここでいう「着用時」は、通常の適正な着用位置、即ち当該吸収性物品の正しい着用位置が維持された状態を意味し、吸収性物品が該着用位置からずれた状態にある場合は含まない。
【００１２】
おむつ１は、着用時に着用者の腹側に配される腹側部１Ａ、背側に配される背側部１Ｃ、及びそれらの間に位置して着用者股間部に配される股下部１Ｂを有している。おむつ１の縦方向Ｘは、前身頃１Ｆと後身頃１Ｒとの間を延びる方向、即ち、腹側部１Ａと背側部１Ｃとの間を股下部１Ｂを介して延びる方向であり、吸収性本体２の長手方向に一致する。腹側部１Ａは前身頃１Ｆの一部であり、背側部１Ｃは後身頃１Ｒの一部であり、股下部１Ｂは前身頃１Ｆと後身頃１Ｒとに跨って存している。腹側部１Ａ及び背側部１Ｃは、何れも縦方向Ｘにおいてサイドシール部Ｓと同位置にある部分であり、おむつ１の着用時に着用者の胴周りに対応する胴周り部である。股下部１Ｂは、外装体３の縦方向Ｘに沿う両側縁部にレッグ開口部ＬＨ，ＬＨ形成用の凹欠部が形成されている領域である。股下部１Ｂは、おむつ１の着用時に着用者の排泄部に対向配置される排泄部対向部を有しており、該排泄部対向部は通常、おむつ１の縦方向Ｘの中央部（縦中心線ＣＬｘ上）又はその近傍に位置している。
【００１３】
吸収性本体２は、図２に輪郭線で示したように平面視長方形形状をなし、その長手方向を展開且つ伸長状態におけるおむつ１の縦方向Ｘに一致させて、外装体３の横方向Ｙの中央部に配置され、接着剤により外装体３に接合されている。外装体３は、図２に示す如き展開且つ伸長状態のおむつ１の外形を形作っており、外装体３の周縁は、その状態のおむつ１の輪郭線を形成している。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１４】
吸収性本体２は、図３に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収体２３は、おむつ１又は外装体３の横方向Ｙの中央部に位置している。表面シート２１及び裏面シート２２としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。
【００１５】
吸収体２３は、吸収性材料を含む液保持性の吸収性コア２４と、該吸収性コア２４の肌対向面及び非肌対向面を被覆するコアラップシート２５とを含んで構成されている。吸収性コア２４とコアラップシート２５との間は、ホットメルト型接着剤等の公知の接合手段により接合されている。本実施形態において吸収性コア２４は、単層構造であり、吸収性材料を含むコア形成材料が積繊されてなり、また、平面視長方形形状をなし、吸収体２３の外形、延いては吸収性本体２の外形を形作っている。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア２４は、親水性繊維の積繊体、あるいは該積繊体に吸水性ポリマー粒子を担持させたものであり得る。コアラップシート２５としては、透水性のシート材を用いることができ、例えば、紙、不織布等を用いることができる。
【００１６】
図２及び図３に示すように、吸収性本体２の肌対向面における縦方向Ｘに沿う左右両側部には、液抵抗性又は撥水性で且つ通気性のシート材から構成された一対の防漏カフ２６，２６が設けられている。各防漏カフ２６の自由端部の近傍には糸状の防漏カフ形成用弾性部材２７が１本以上（本実施形態では１本）伸長状態で配されている。防漏カフ２６は、伸長状態で配された弾性部材２７がおむつ１の着用時に収縮することによって少なくとも股下部１Ｂで起立し、それによって尿等の排泄液の横方向Ｙの外方への流出を阻止する。
【００１７】
外装体３は、図２に示すように、前身頃１Ｆの胴周り部である腹側部１Ａ、及び後身頃１Ｒの胴周り部である背側部１Ｃ、腹側部１Ａと背側部１Ｃとに挟まれた股下部１Ｂにわたって配されており、その縦方向Ｘに沿う両側縁が股下部１Ｂにおいて内向きの円弧状に湾曲して一対のレッグ縁部ＬＳ，ＬＳを形成しており、図２に示す如き平面視において、縦方向Ｘの中央域が横方向Ｙの内方に向けて括れた砂時計状の形状を有している。外装体３は、前身頃１Ｆ（腹側部１Ａ）における縦方向Ｘに沿う両側縁部ＦＳ，ＦＳと後身頃１Ｒ（背側部１Ｃ）における縦方向Ｘに沿う両側縁部ＲＳ，ＲＳとが、接着剤、ヒートシール、超音波シール等の公知の接合手段によって互いに接合されており、その接合によって、図１に示すように、おむつ１に一対のサイドシール部Ｓ，Ｓが形成され、さらにウエスト開口部ＷＨ及び一対のレッグ開口部ＬＨ，ＬＨが形成されている。
【００１８】
外装体３は、図３及び図４に示すように、外層シート３１と内層シート３２との積層体を含んで構成されている。おむつ１の着用状態において、外層シート３１は着用者の身体から遠い側に位置して、おむつ１の非肌対向面（外面）を形成し、内層シート３２は、着用者の身体に近い側に位置して、おむつ１の肌対向面（内面）を形成する。外層シート３１と内層シート３２との間は、所定の部位において接着剤によって接合されている。
【００１９】
本実施形態においては、図４に示すように、内層シート３２は１枚の連続したシートから構成されているのに対し、外層シート３１は複数枚のシートが組み合わされて構成されており、腹側部１Ａを構成する腹側外層シート３１Ａと、背側部１Ｃを構成する背側外層シート３１Ｃと、両シート３１Ａ，３１Ｃ間に位置して股下部１Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００２０】
図２及び図４に示すように、腹側外層シート３１Ａは、内層シート３２の腹側部１Ａ側の縦方向Ｘの端部から外方に延出する腹側延出部３１ＡＥを有し、また、背側外層シート３１Ｃは、内層シート３２の背側部１Ｃ側の縦方向Ｘの端部から外方に延出する背側延出部３１ＣＥを有しており、両延出部３１ＡＥ，３１ＣＥは、それぞれ、内層シート３２側に折り返され、接着剤によって、両延出部３１ＡＥ，３１ＣＥと対向するおむつ１の他の構成部材に固定されている。本実施形態においては図２に示すように、折り返された腹側延出部３１ＡＥは、内層シート３２上に配置固定された吸収性本体２の腹側部１Ａ側の縦方Ｘの端部を覆っている。一方、背側部１Ｃにおいては吸収性本体２が配されておらず、折り返された背側延出部３１ＣＥは吸収性本体２とは重なっていない。
【００２１】
外装体３を構成するシート３１（３１Ａ，３１Ｂ，３１Ｃ），３２は、互いに同種のシートでも良く、あるいは異種のシートでも良く、後者の例として、伸縮性が互いに異なる形態が挙げられる。具体的には例えば、腹側外層シート３１Ａ及び背側外層シート３１Ｃとしては、横方向Ｙに伸縮性を有する伸縮性シートを用い、外層シート３１の残りの部分即ち股下外層シート３１Ｂ及び内層シート３２は、伸縮性を有していない非伸縮性シートを用いることができる。外装体３として使用可能な伸縮性シートとしては、例えば、弾性繊維層の両面又は片面に伸長可能な繊維層が一体化されている伸縮性シートが挙げられ、弾性繊維層と伸長可能な繊維層との一体化の方法としては、例えば、両者を積層して水流交絡する方法、エアスルー等により繊維を交絡させる方法、ヒートエンボス、接着剤、超音波等によって接合させる方法が挙げられる。また、外装体３として使用可能な非伸縮性シートとしては、例えば、各種製法による不織布が挙げられ、具体的にはスパンボンド不織布、エアスルー不織布、ニードルパンチ不織布を例示できる。
【００２２】
図２に示すように、外装体３には、ウエスト開口部ＷＨの開口縁部にウエストギャザーを形成するウエスト弾性部材３３が配されている。即ち、腹側部Ａ及び背側部Ｃそれぞれにおける外装体３のウエスト開口部ＷＨの開口縁部には、ウエストギャザー形成用のウエスト弾性部材３３が、外装体３の横方向Ｙの全長にわたって伸長状態で複数固定されており、これによってウエスト開口部ＷＨには、その全周にわたって実質的に連続した環状のウエストギャザーが形成されている。また外装体３には、一対のレッグ開口部ＬＨ，ＬＨそれぞれの開口縁部にレッグギャザーを形成するレッグ弾性部材として、前身頃１Ｆに伸長状態で配された前側レッグ弾性部材３４と、後身頃１Ｒに伸長状態で配された後側レッグ弾性部材３５とがそれぞれ複数配されている。両レッグ弾性部材３４，３５は何れも、図２に示す如き平面視において、縦方向Ｘの内方（縦中心線ＣＬｘ）に向かって凸状に湾曲した形状をなし、その凸の頂部が外装体３の横方向Ｙの中央部に位置している。これらの弾性部材３３，３４，３５は、それぞれ糸状又は帯状であり、縦方向Ｘに所定間隔を置いて配置され、外装体３を構成する内層シート３１と外層シート３２との間に接着剤により挟持固定されている。
【００２３】
本実施形態のおむつ１の主たる特徴の１つとして、図２に示すように、吸収性コア２４延いては吸収性本体２が、縦中心線ＣＬｘを基準として前後対称に形成されておらず、前身頃１Ｆ側に偏倚している点が挙げられる。即ち、吸収性コア２４は、吸収性本体２と略同形状同寸法であって、図２に示すように外装体３の横方向Ｙの中央部に位置しているところ、縦中心線ＣＬｘを基準として、前身頃１Ｆにおける外装体３の縦方向端３Ｆｘに向かって縦方向Ｘに延びるコア前側部２４Ｆと、後身頃１Ｒにおける外装体３の縦方向端３Ｒｘに向かって縦方向Ｘに延びるコア後側部２４Ｒとを有している。また、コア後側部２４Ｒは、コア前側部２４Ｆに比して縦方向長さが短く、且つコア後側部２４Ｒの縦方向端２４Ｒｘは、後身頃１Ｒにおけるサイドシール部Ｓ（背側部１Ｃにおける外装体３の側縁部ＲＳ）の縦方向内方端Ｓｃ即ち仮想直線ＲＬｘよりも縦方向Ｘの内方に位置している。ここで、「縦方向Ｘの内方」とは、前身頃１Ｆにおいては、前身頃１Ｆにおける外装体３の縦方向端３Ｆｘから縦中心線ＣＬｘに向かう方向、後身頃１Ｒにおいては、後身頃１Ｒにおける外装体３の縦方向端３Ｒｘから縦中心線ＣＬｘに向かう方向を指す。コア前側部２４Ｆとコア後側部２４Ｒとは一体に形成されており、吸収性コア２４は、コア前側部２４Ｆの縦方向端２４Ｆｘからコア後側部２４Ｒの縦方向端２４Ｒｘにわたって連続している。
【００２４】
このように、吸収性コア２４（吸収性本体２）の縦方向長さに関して、縦中心線ＣＬｘを基準として、後身頃１Ｒに存するコア後側部２４Ｒを前身頃１Ｆに存するコア前側部２４Ｆに比して短くすることによって、特に着用者の臀部及びその周辺部のフィット性が向上し、その結果としておむつ１全体としての着用感の向上に繋がる。本発明者らの知見によれば、この種のパンツ型使い捨ておむつの着用感に大きな影響を及ぼす部位は後身頃、中でも、着用者の臀部から背中側にわたって配される部位であり、本発明では斯かる観点から、他のおむつ構成部材に比して剛性が高く着用感に関してマイナス要素となりがちな吸収性コアについて、単にその寸法を全方向において小さくするのではなく、吸収性コアにおける後身頃に配される部位（コア後側部）の縦方向長さを選択的に小さくしたものである。
【００２５】
しかしながら、前記のように吸収性コア２４を前身頃１Ｆ側に偏倚させ、コア後側部２４Ｒを、股下部１Ｂと背側部１Ｃとの境界である仮想直線ＲＬｘを越えて背側部１Ｃ側に延在させない構成とすると、尿等の体液を吸収保持し得る部材が背側部１Ｃに十分に存在しないことになるため、特に背側部１Ｃにおいて体液の漏れが発生することが懸念される。これに対し、本実施形態のおむつ１においては、後側レッグ弾性部材３５の配置を工夫することによって斯かる懸念を払拭し、着用感と漏れ抑制とを高レベルで両立させることを可能にしている。
【００２６】
即ち、本実施形態のおむつ１においては、図２に示すように、後側レッグ弾性部材３５が、後身頃１Ｒにおける外装体３を横方向Ｙに横断するように伸長状態で複数（図２では３本）配されており、それら複数の後側レッグ弾性部材３５は、それぞれ、サイドシール部Ｓを形成する外装体３の両側縁部ＲＳ，ＲＳそれぞれからレッグ開口部ＬＨの開口縁部に沿って延びさらにコア後側部２４Ｒに向かって延びる部分を有し、且つ横方向Ｙに関し吸収性コア２４と重なる領域に位置する中央部分３５Ｃと、該領域の横方向Ｙの両外方に位置する一対のサイド部分３５Ｓ，３５Ｓとの３つに区分されている。ここで、「横方向Ｙに関し吸収性コア２４と重なる領域」とは、図２に示す如き展開且つ伸長状態のおむつ１の平面視において、吸収性コア２４と、吸収性コア２４を縦方向Ｘに仮想的に延長した場合のその仮想延長領域とを含む領域を意味する。複数の後側レッグ弾性部材３５は、それぞれ、外装体３の一方の側縁部ＲＳから他方の側縁部ＲＳにわたって連続しており、後身頃１Ｒにおける外装体３の横方向Ｙの全長にわたって横方向Ｙに伸縮性を有している。つまり、各後側レッグ弾性部材３５の３つの区分３５Ｃ，３５Ｓ，３５Ｓは互いに繋がっていて１本の連続した弾性部材を構成している。また、各後側レッグ弾性部材３５は、おむつ１又は外装体３を横方向Ｙに二分して縦方向Ｘに延びる横中心線（図示せず）を基準として左右対称に形成されている。
そして、複数の後側レッグ弾性部材３５の少なくとも一部は、図２に示す如き平面視において中央部分３５Ｃで吸収性コア２４と重ならずにコア後側部２４Ｒよりも縦方向Ｘの外方に配されている。図２に示す形態においては、３本の後側レッグ弾性部材３５のうち縦方向Ｘの最外方に位置する１本のみが、平面視において吸収性コア２４と重ならずにコア後側部２４Ｒよりも縦方向Ｘの外方に配されている。ここで、「縦方向Ｘの外方」とは、前身頃１Ｆにおいては、縦中心線ＣＬｘから前身頃１Ｆにおける外装体３の縦方向端３Ｆｘに向かう方向、後身頃１Ｒにおいては、縦中心線ＣＬｘから後身頃１Ｒにおける外装体３の縦方向端３Ｒｘに向かう方向を指す。
以上の如き後側レッグ弾性部材３５の配置形態によれば、おむつ１の着用中において、後側レッグ弾性部材３５の作用によって後身頃１Ｒ全体が引き上げられて着用者の身体にフィット性良く密着するため、前述した「コア後側部２４Ｒの縦方向長さの短さ」と相俟って良好な着用感が得られると共に、体液の外部への漏れ出しが効果的に抑制される。
【００２７】
本実施形態のおむつ１においては、図２に示すように、複数（３本）の後側レッグ弾性部材３５の全部が、「平面視において吸収性コア２４（吸収性本体２）と重ならずにコア後側部２４Ｒよりも縦方向Ｘの外方に配されている」という形態をとってはおらず、複数の後側レッグ弾性部材３５の一部、具体的には、複数の後側レッグ弾性部材３５のうち縦方向Ｘの最内方に位置する（換言すれば縦中心線ＣＬｘに最も近接する）１本の後側レッグ弾性部材３５は、その中央部分３５Ｃが平面視においてコア後側部２４Ｒと重なっている。このように、平面視においてコア後側部２４Ｒと重なる後側レッグ弾性部材３５が存在することにより、おむつ１の着用中において該弾性部材３５の作用によってコア後側部２４Ｒが着用者の身体により一層フィット性良く密着するため、着用感及び漏れ抑制性能がより一層向上し得る。
【００２８】
後側レッグ弾性部材３５は、図２に示す如き平面視において縦方向Ｘの内方（縦中心線ＣＬｘ）に向かって凸状に湾曲した形状をなしているところ、コア後側部２４Ｒと重なっている後側レッグ弾性部材３５における、コア後側部２４Ｒとの重なり部分即ち中央部分３５Ｃは、その凸の頂部及びその近傍であり、縦中心線ＣＬｘに最も近接する部分である。また、そのコア後側部２４Ｒと重なる後側レッグ弾性部材３５の中央部分３５Ｃにおいては、該中央部分３５Ｃの横方向Ｙの中央部は、平面視において横方向Ｙに平行な直線をなしているのに対し、該中央部分３５Ｃの横方向Ｙの両端部は、平面視において縦方向Ｘ及び横方向Ｙの両方向に交差する方向に延びており、緩やかに湾曲した曲線をなしている。即ち、おむつ１においては、後側レッグ弾性部材３５におけるコア後側部２４Ｒとの重なり部分である中央部分３５Ｃは、平面視において該中央部分３５Ｃの全長にわたって横方向Ｙに平行な直線とはなっていないため、その伸縮性は横方向Ｙのみならず他の方向にも及ぶ。つまり、おむつ１においては、平面視においてコア後側部２４Ｒと重なる後側レッグ弾性部材３５は、そのコア後側部２４Ｒとの重なり部分である中央部分３５Ｃの全体が、横方向Ｙのみに応力を発現し得るようには配されていない。
【００２９】
また、本実施形態のおむつ１においては、図２に示すように、複数の後側レッグ弾性部材３５は、それぞれ、背側部１Ｃと股下部１Ｂとの境界である、後身頃１Ｒにおける一対のサイドシール部Ｓ，Ｓそれぞれの縦方向Ｘの内方端（サイドシール部Ｓを形成する外装体３の縦方向Ｘに沿う両側縁部ＲＳ，ＲＳそれぞれの縦方向内方端）Ｓｃを通って横方向Ｙに延びる仮想直線ＲＬｘを基準として、仮想直線ＲＬｘよりも縦方向Ｘの内方に位置する部分を有している。より具体的には、複数の後側レッグ弾性部材３５は、それぞれ、図２に示す如き平面視において縦方向Ｘの内方（縦中心線ＣＬｘ）に向かって凸の凸状をなし、その凸の頂部及び近傍を含む部分即ち外装体３の横方向Ｙの中央部に位置する中央部分３５Ｃの全体が、仮想直線ＲＬｘよりも縦方向Ｘの内方に位置し、それ以外の部分即ち外装体３の横方向Ｙの両端部に位置する一対のサイド部分３５Ｓ，３５Ｓが、それぞれ仮想直線ＲＬｘよりも縦方向Ｘの外方に位置する部分を有しており、仮想直線ＲＬｘを跨ぐように配されている。斯かる構成により、おむつ１の着用中において、後側レッグ弾性部材３５による後見頃１Ｒの着用者の身体側への引き上げ機能が一層向上するため、着用感及び漏れ抑制性能の一層の向上に繋がる。
【００３０】
前述した作用効果をより一層確実に奏させるようにする観点から、おむつ１の各部の寸法等は以下のように設定することが好ましい。
コア前側部２４Ｆの縦方向長さに対するコア後側部の縦方向長さの比率は、後者／前者として、好ましくは０．２以上、さらに好ましくは０．３以上、そして、好ましくは０．８以下、さらに好ましくは０．７以下である。
コア後側部２４Ｒの縦方向長さ、即ち、縦中心線ＣＬｘと吸収性コア２４の後身頃１Ｒ側の縦方向端２４Ｒｘとの離間距離は、吸収性コア２４の縦方向Ｘの全長に対して、好ましくは１５％以上、さらに好ましくは２５％以上、そして、好ましくは８５％以下、さらに好ましくは７５％以下である。
コア後側部２４Ｒの縦方向長さは、好ましくは５０ｍｍ以上、さらに好ましくは８０ｍｍ以上、そして、好ましくは２００ｍｍ以下、さらに好ましくは１８０ｍｍ以下である。
吸収性コア２４の横方向Ｙの長さ即ち幅は、好ましくは６０ｍｍ以上、さらに好ましくは７５ｍｍ以上、そして、好ましくは１５０ｍｍ以下、さらに好ましくは１３５ｍｍ以下である。
【００３１】
後側レッグ弾性部材３５の数は、好ましくは１本以上、さらに好ましくは２本以上、そして、好ましくは５本以下、さらに好ましくは４本以下である。
縦方向Ｘにおいて隣り合う２本の後側レッグ弾性部材３５，３５どうしの間隔は、好ましくは２．０ｍｍ以上、さらに好ましくは２．５ｍｍ以上、そして、好ましくは６．０ｍｍ以下、さらに好ましくは５．５ｍｍ以下である。
【００３２】
以下、本発明の他の実施形態について図５〜図８を参照して説明する。図５〜図８はそれぞれ、本発明の他の実施形態であるおむつの概略構成を示した図であり、図２を簡略化した図である。後述する他の実施形態については、前記実施形態のおむつ１と異なる構成部分を主として説明し、同様の構成部分は同一の符号を付して説明を省略する。特に説明しない構成部分は、おむつ１についての説明が適宜適用される。
【００３３】
図５に示すおむつ１０においては、複数（３本）の後側レッグ弾性部材３５の全部が、平面視において中央部分３５Ｃで吸収性コア２４（吸収性本体２）と重ならずにコア後側部２４Ｒよりも縦方向Ｘの外方に配されている。より具体的には図５に示すように、複数の後側レッグ弾性部材３５の全部が、それぞれ、中央部分３５Ｃを含めた該弾性部材３５の全体で、吸収性コア２４と重ならずにコア後側部２４Ｒよりも縦方向Ｘの外方に配されている。おむつ１０によってもおむつ１と略同様の効果が奏されるが、おむつ１は、後側レッグ弾性部材３５とコア後側部２４Ｒとの重なり部分を有しているため（図２参照）、そのような重なり部分を有しないおむつ１０に比して、着用感及び漏れ抑制性能に一層優れる。
【００３４】
図６に示すおむつ１１においては、後側レッグ弾性部材３５におけるコア後側部２４Ｒとの重なり部分、即ち平面視凸状の該弾性部材３５の凸の頂部及びその近傍である中央部分３５Ｃは、縦方向Ｘ及び横方向Ｙの両方向に交差する方向のみに延びており、横方向Ｙに平行に延びる部分を有していない。即ち、おむつ１１においては、後側レッグ弾性部材３５におけるコア後側部２４Ｒとの重なり部分である中央部分３５Ｃの伸縮性は、横方向Ｙのみならず、それ以外の方向にも及ぶ。
【００３５】
これに対し、図７に示すおむつ１２においては、後側レッグ弾性部材３５におけるコア後側部２４Ｒとの重なり部分即ち中央部分３５Ｃは、その全長にわたって横方向Ｙに平行に延びているため、その伸縮性は横方向Ｙのみに及ぶ、つまり、おむつ１２においては、平面視においてコア後側部２４Ｒと重なる後側レッグ弾性部材３５は、そのコア後側部２４Ｒとの重なり部分である中央部分３５Ｃの全体が、横方向Ｙのみに応力を発現し得るように配されている。斯かる構成により、おむつ１２は、身体面に垂直な方向に装着圧がかかるため、斯かる構成を有していないおむつ１及びおむつ１１に比して、着用感及び漏れ抑制性能に一層優れる。
【００３６】
図８に示すおむつ１２においては、コア後側部２４Ｒの縦方向端部２４Ｒｘの横方向Ｙの中央部に、吸収性コア２４を形成するコア形成材料の坪量が吸収性コア２４の他の部位より小さい切り欠き部２４０が１個形成されている。斯かる構成により、おむつ１２の身体への密着性が向上し、着用感向上及び漏れ抑制効果が奏される。切り欠き部２４０は、図８に示す如き平面視において三角形形状をなし、且つその横方向Ｙの長さ即ち幅は、縦方向Ｘの内方（縦中心線ＣＬｘ）に向かうに従って漸次減少している。図８に示す形態における切り欠き部２４０は、コア形成材料（吸収性材料）が全く存在しない貫通孔（つまり坪量がゼロ）であるが、本発明に係る切り欠き部には、このような貫通孔の形態の他に、吸収性コアの他の領域よりも少量（具体的には１０〜５０ｇ／ｍ2程度）のコア形成材料（吸収性材料）が若干存在している形態も含まれる。尚、坪量の測定は、吸収性コア２４における切り欠き部２４０及び切り欠き部２４０以外の部位それぞれを２ｃｍ×２ｃｍに切断し、その部位の質量を測定することで求める。
【００３７】
コア後側部２４Ｒの縦方向端２４Ｒｘの長さに対する、切り欠き部２４０の横方向Ｙの最大長さ即ち最大幅の比率は、後者／前者として、好ましくは０．１以上、さらに好ましくは０．２以上、そして、好ましくは０．５以下、さらに好ましくは０．４以下である。
切り欠き部２４０の横方向Ｙの最大長さ即ち最大幅は、好ましくは１５ｍｍ以上、さらに好ましくは３０ｍｍ以上、そして、好ましくは７５ｍｍ以下、さらに好ましくは６０ｍｍ以下である。
吸収性コア２４の縦方向Ｘの全長に対する、切り欠き部２４０の縦方向Ｘの長さの比率は、後者／前者として、好ましくは０．０１以上、さらに好ましくは０．０２以上、そして、好ましくは０．１５以下、さらに好ましくは０．１３以下である。
切り欠き部２４０の縦方向Ｘの長さは、好ましくは１０ｍｍ以上、さらに好ましくは１５ｍｍ以上、そして、好ましくは５０ｍｍ以下、さらに好ましくは４０ｍｍ以下である。
【００３８】
以上、本発明をその好ましい実施形態に基づき説明したが、本発明は前記実施形態に制限されない。例えば、前記実施形態においては、外層シート３２は複数枚のシートが組み合わされて構成されていたが、内層シート３１と同様に１枚の連続したシートから構成されていても良い。また、外装体３が、腹側部１Ａに位置する外装体腹側領域と背側部１Ｃに位置する外装体背側領域とに分割され、吸収性本体２が、該外装体腹側領域及び該外装体背側領域に架け渡して固定されていても良い。前述した本発明の実施形態に関し、更に以下の付記を開示する。
【００３９】
＜１＞
着用者の前後方向に対応する縦方向とこれに直交する横方向とを有し、吸収性材料を含む吸収性コアを具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型使い捨ておむつであって、
前記吸収性コアは、前記外装体の横方向中央部に位置し、且つ前記外装体を縦方向に二分して横方向に延びる縦中心線を基準として、前身頃における該外装体の縦方向端に向かって縦方向に延びるコア前側部と、後身頃における該外装体の縦方向端に向かって縦方向に延びるコア後側部とを有し、
前記コア後側部は、前記コア前側部に比して縦方向長さが短く、且つ該コア後側部の縦方向端は、後身頃における前記サイドシール部の縦方向内方端よりも縦方向内方に位置し、
後身頃における前記外装体に、前記レッグ開口部の開口縁部にレッグギャザーを形成する後側レッグ弾性部材が、該外装体を横方向に横断するように伸長状態で複数配されており、それら複数の後側レッグ弾性部材は、それぞれ、前記サイドシール部を形成する該外装体の縦方向に沿う両側縁部それぞれから該レッグ開口部の開口縁部に沿って延びさらに前記コア後側部に向かって延びる部分を有し、且つ横方向に関し前記吸収性コアと重なる領域に位置する中央部分と、該領域の横方向両外方に位置する一対のサイド部分との３つに区分され、
複数の前記後側レッグ弾性部材の少なくとも一部は、平面視において前記中央部分で前記吸収性コアと重ならずに前記コア後側部よりも縦方向外方に配されているパンツ型使い捨ておむつ。
【００４０】
＜２＞
複数の前記後側レッグ弾性部材の一部は、平面視において前記中央部分で前記コア後側部と重なる前記＜１＞に記載のパンツ型使い捨ておむつ。
＜３＞
平面視において前記中央部分で前記コア後側部と重なる前記後側レッグ弾性部材の該中央部分は、その横方向両端部がそれぞれ縦方向及び横方向の両方向に交差する方向に延びており、該横方向端部全体として湾曲した曲線をなしている前記＜２＞に記載のパンツ型使い捨ておむつ。
＜４＞
平面視において前記中央部分で前記コア後側部と重なる前記後側レッグ弾性部材の該中央部分は、縦方向及び横方向の両方向に交差する方向のみに延びており、横方向に平行に延びる部分を有していない前記＜２＞に記載のパンツ型使い捨ておむつ。
＜５＞
平面視において前記中央部分で前記コア後側部と重なる前記後側レッグ弾性部材は、該中央部分の全体が横方向のみに応力を発現し得るように配されている前記＜２＞に記載のパンツ型使い捨ておむつ。
【００４１】
＜６＞
複数の前記後側レッグ弾性部材の全部は、平面視において前記中央部分で前記コア後側部と重ならずに前記コア後側部よりも縦方向外方に配されている前記＜１＞に記載のパンツ型使い捨ておむつ。
＜７＞
前記後側レッグ弾性部材は、後身頃における前記サイドシール部を形成する前記外装体の縦方向に沿う両側縁部それぞれの縦方向内方端を通って横方向に延びる仮想直線を基準として、該仮想直線よりも縦方向内方に位置する部分を有している前記＜１＞〜＜６＞の何れか一項に記載のパンツ型使い捨ておむつ。
【００４２】
＜８＞
前記コア後側部の縦方向端部の横方向中央部に、前記吸収性コアを形成するコア形成材料の坪量が該吸収性コアの他の部位より小さい切り欠き部が形成されている前記＜１＞〜＜７＞の何れか一項に記載のパンツ型使い捨ておむつ。
＜９＞
前記切り欠き部は、平面視において三角形形状をなし、且つその横方向長さは、縦方向Ｘの内方に向かうに従って漸次減少している前記＜８＞に記載のパンツ型使い捨ておむつ。
＜１０＞
前記コア後側部の縦方向端の長さに対する、前記切り欠き部の横方向の最大長さの比率は、後者／前者として、好ましくは０．１以上、さらに好ましくは０．２以上、そして、好ましくは０．５以下、さらに好ましくは０．４以下である前記＜８＞又は＜９＞に記載のパンツ型使い捨ておむつ。
＜１１＞
前記切り欠き部の横方向の最大長さは、好ましくは１５ｍｍ以上、さらに好ましくは３０ｍｍ以上、そして、好ましくは７５ｍｍ以下、さらに好ましくは６０ｍｍ以下である前記＜８＞〜＜１０＞の何れか一項に記載のパンツ型使い捨ておむつ。
＜１２＞
前記吸収性コアの縦方向の全長に対する、前記切り欠き部の縦方向長さの比率は、後者／前者として、好ましくは０．０１以上、さらに好ましくは０．０２以上、そして、好ましくは０．１５以下、さらに好ましくは０．１３以下である前記＜８＞〜＜１１＞の何れか一項に記載のパンツ型使い捨ておむつ。
＜１３＞
前記切り欠き部の縦方向長さは、好ましくは１０ｍｍ以上、さらに好ましくは１５ｍｍ以上、そして、好ましくは５０ｍｍ以下、さらに好ましくは４０ｍｍ以下である前記＜８＞〜＜１２＞の何れか一項に記載のパンツ型使い捨ておむつ。
【００４３】
＜１４＞
前記コア前側部の縦方向長さに対する前記コア後側部の縦方向長さの比率は、後者／前者として、好ましくは０．２以上、さらに好ましくは０．３以上、そして、好ましくは０．８以下、さらに好ましくは０．７以下である前記＜１＞〜＜１３＞の何れか一項に記載のパンツ型使い捨ておむつ。
＜１５＞
前記コア後側部の縦方向長さ、即ち、前記縦中心線と前記吸収性コアの後身頃側の縦方向端との離間距離は、前記吸収性コアの縦方向の全長に対して、好ましくは１５％以上、さらに好ましくは２５％以上、そして、好ましくは８５％以下、さらに好ましくは７５％以下である前記＜１＞〜＜１４＞の何れか一項に記載のパンツ型使い捨ておむつ。
＜１６＞
前記コア後側部の縦方向長さは、好ましくは５０ｍｍ以上、さらに好ましくは８０ｍｍ以上、そして、好ましくは２００ｍｍ以下、さらに好ましくは１８０ｍｍ以下である前記＜１＞〜＜１５＞の何れか一項に記載のパンツ型使い捨ておむつ。
＜１７＞
前記吸収性コアの横方向長さは、好ましくは６０ｍｍ以上、さらに好ましくは７５ｍｍ以上、そして、好ましくは１５０ｍｍ以下、さらに好ましくは１３５ｍｍ以下である前記＜１＞〜＜１６＞の何れか一項に記載のパンツ型使い捨ておむつ。
＜１８＞
前記後側レッグ弾性部材の数は、好ましくは１本以上、さらに好ましくは２本以上、そして、好ましくは５本以下、さらに好ましくは４本以下である前記＜１＞〜＜１７＞の何れか一項に記載のパンツ型使い捨ておむつ。
＜１９＞
縦方向において隣り合う２本の前記後側レッグ弾性部材どうしの間隔は、好ましくは２．０ｍｍ以上、さらに好ましくは２．５ｍｍ以上、そして、好ましくは６．０ｍｍ以下、さらに好ましくは５．５ｍｍ以下である前記＜１＞〜＜１８＞の何れか一項に記載のパンツ型使い捨ておむつ。
【００４４】
＜２０＞
前記コア前側部と前記コア後側部とは一体に形成されており、前記吸収性コアは、該コア前側部の縦方向端から該コア後側部の縦方向端にわたって連続している前記＜１＞〜＜１９＞の何れか一項に記載のパンツ型使い捨ておむつ。
＜２１＞
前身頃における前記外装体に、前記レッグ開口部の開口縁部にレッグギャザーを形成する前側レッグ弾性部材が、該外装体を横方向に横断するように伸長状態で複数配されており、該前側レッグ弾性部材は、平面視において縦方向内方に向かって凸状に湾曲した形状をなしている前記＜１＞〜＜２０＞の何れか一項に記載のパンツ型使い捨ておむつ。
＜２２＞
前記吸収性本体は、肌対向面を形成する表面シート、非肌対向面を形成する裏面シート、及び両シート間に介在配置された吸収体を具備しており、該吸収体は、前記収性コアと、該吸収性コアの肌対向面及び非肌対向面を被覆するコアラップシートとを有する前記＜１＞〜＜２１＞の何れか一項に記載のパンツ型使い捨ておむつ。
＜２３＞
前記外装体は、外層シートと内層シートとの積層体を含んで構成されている前記＜１＞〜＜２２＞の何れか一項に記載のパンツ型使い捨ておむつ。
【符号の説明】
【００４５】
１，１０，１１，１２、１３  パンツ型使い捨ておむつ
１Ｆ  前身頃
１Ｒ  後身頃
１Ａ  腹側部（前身頃の胴周り部）
１Ｂ  股下部
１Ｃ  背側部（後身頃の胴周り部）
２  吸収性本体
２１  表面シート
２２  裏面シート
２３  吸収体
２４  吸収性コア
２４Ｆ  コア前側部
２４Ｒ  コア後側部
２４Ｒｘ  コア後側部の縦方向端
２４０  切り欠き部
２５  コアラップシート
２６  防漏カフ
３  外装体
３１  外層シート
３１Ａ  腹側外層シート
３１Ｂ  股下外層シート
３１Ｃ  背側外層シート
３２  内層シート
３３  ウエスト弾性部材
３４  前側レッグ弾性部材
３５  後側レッグ弾性部材
３５Ｃ  後側レッグ弾性部材の中央部分
３５Ｓ  後側レッグ弾性部材のサイド部分
Ｓ  サイドシール部
Ｓｃ  サイドシール部（サイドシール部を形成する外装体の側縁部）の縦方向内方端
Ｘ  縦方向
Ｙ  横方向
【図１】
2017093931.tif 000003
【図２】
2017093931.tif 000004
【図３】
2017093931.tif 000005
【図４】
2017093931.tif 000006
【図５】
2017093931.tif 000007
【図６】
2017093931.tif 000008
【図７】
2017093931.tif 000009
【図８】
2017093931.tif 000010